(57)【要約】      （修正有）【課題】キッチン台のメーカーから支給された化粧板を容易に取り付けることができる加熱調理器を提供する。【解決手段】加熱調理器は、上部に第１開口部、前部に第２開口部を有する本体ケースと、本体ケースの第１開口部を覆う天板と、本体ケースの第２開口部を覆うように設けられる前フレームとを備え、前フレームは、本体ケース内に設けられた収納室と対向する面に第２開口部よりも小さい第３開口部を有し、前フレームがキッチン台の前面開口部から臨むように、本体ケースがキッチン台の上面開口部から収容される加熱調理器において、前フレームの第３開口部を開閉自在に閉じる扉と、前フレームの第３開口部を除く前面板に扉と隣接して設けられた化粧板１５とを有し、化粧板は、化粧板の裏面に取り付けられた取付金具３２、３４を備え、取付金具が前フレームの前面板に取り付けられた被固定部に固定されている。【選択図】図７
2018173202.tif 000002
【特許請求の範囲】
【請求項１】
上部に第１開口部を有し、更に、前部に第２開口部を有する本体ケースと、前記本体ケースの上部に第１開口部を覆うように設けられた天板と、前記本体ケースの内部に配置され、前記天板上の被加熱物を加熱する加熱手段と、前記本体ケースの前記第２開口部を覆うように設けられる前フレームとを備え、
前記前フレームは、前記本体ケース内に設けられた収納室と対向する面に前記第２開口部よりも小さい第３開口部を有し、
前記前フレームがキッチン台の前面開口部から臨むように、前記本体ケースがキッチン台の上面開口部から収容される加熱調理器において、
前記前フレームの第３開口部を開閉自在に閉じる扉と、
前記前フレームの第３開口部を除く前面板に前記扉と隣接して設けられた化粧板と
を有し、
前記化粧板は、当該化粧板の裏面に取り付けられた取付金具を備え、前記取付金具が前記前フレームの前面板に取り付けられた被固定部に固定されたことを特徴とする加熱調理器。
【請求項２】
前記取付金具は、前記化粧板を正面から見て、当該化粧板の左側裏面の上下にそれぞれ固定される左側取付金具と、前記化粧板を正面から見て、当該化粧板の右側裏面に固定され、左右方向の一方向に延びる鉤部を有する右側取付金具とを備え、
前記被固定部は、前記前面板の前記第３開口部側の位置の上下にそれぞれ設けられ、前記左側取付金具の固定用のネジ穴と、前記前面板の前記第３開口部の反対側の位置に設けられ、前記右側取付金具の鉤部が挿入される左右方向に長い長穴とを備えたことを特徴とする請求項１記載の加熱調理器。
【請求項３】
前記前面板と前記左側取付金具との間および前記前面板と右側取付金具との間にスペーサーを設けたことを特徴とする請求項２記載の加熱調理器。
【請求項４】
前記取付金具は、前記前面板を下から支持する位置調整金具であり、
前記被固定部は、前記前面板の下部の左右方向の位置に複数設けられ、前記位置調整金具の取付用の取付穴群を備えたことを特徴とする請求項１〜３の何れか１項に記載の加熱調理器。
【請求項５】
前記前面板には、前記長穴を中央にして上下にそれぞれ発泡部材が設けられることを特徴とする請求項２又は３記載の加熱調理器。
【請求項６】
前記前面板のうち前記第３開口部と当該前面板に取り付けられた前記化粧板との間の部分に緩衝部材を設けたことを特徴とする請求項１〜５の何れか１項に記載の加熱調理器。
【請求項７】
前記前フレームの左右の側板のうち前記第３開口部側の側板に支持され、当該側板と前記キッチン台の前面開口部の側面との間の隙間を覆うサイドカバーを備え、
前記サイドカバーは、緩衝部材と当該緩衝部材の裏面に取り付けられた補強板とで構成されていることを特徴とする請求項１〜６の何れか１項に記載の加熱調理器。
【発明の詳細な説明】
【技術分野】
【０００１】
本発明は、例えば、キッチン台に組み込まれる加熱調理器に関するものである。
【背景技術】
【０００２】
従来の組込式の加熱調理器においては、キッチン台の前面に開けられた前面開口部は、キッチン台の上面開口部よりも左右方向の幅が広いため、調理器本体の左右側面との間に隙間が生じている。そのため、キッチン台に調理器本体を収容した後に、調理器本体の左右側面とキッチン台の前面開口部との間の隙間と調理器本体の前面に形成された加熱庫の開口部を除く前面板とをサイドカバーで覆っている（例えば、特許文献１参照）。
【先行技術文献】
【特許文献】
【０００３】
【特許文献１】特許第４９０００７８号公報
【発明の概要】
【発明が解決しようとする課題】
【０００４】
しかしながら、前述の加熱調理器では、サイドカバーは、キッチン台の前面と異種材料で構成されているため、キッチン台の前面との一体感が損なわれるという課題があった。そこで、近年、キッチン台と調理器本体との意匠性を向上させるために、調理器本体の前面板を覆う化粧板を別途準備して、調理器本体を据え付ける場所において、この化粧板を調理器本体に取り付けている。しかし、化粧板を前面板に取り付ける作業が容易ではなかった。
【０００５】
本発明は、前述のような課題を解決するためになされたもので、キッチン台のメーカーから支給された化粧板を容易に取り付けることができる加熱調理器を提供することを目的とする。
【課題を解決するための手段】
【０００６】
本発明に係る加熱調理器は、上部に第１開口部を有し、更に、前部に第２開口部を有する本体ケースと、本体ケースの上部に第１開口部を覆うように設けられた天板と、本体ケースの内部に配置され、天板上の被加熱物を加熱する加熱手段と、本体ケースの第２開口部を覆うように設けられる前フレームとを備え、前フレームは、本体ケース内に設けられた収納室と対向する面に第２開口部よりも小さい第３開口部を有し、前フレームがキッチン台の前面開口部から臨むように、本体ケースがキッチン台の上面開口部から収容される加熱調理器において、前フレームの第３開口部を開閉自在に閉じる扉と、前フレームの第３開口部を除く前面板に扉と隣接して設けられた化粧板とを有し、化粧板は、化粧板の裏面に取り付けられた取付金具を備え、取付金具が前フレームの前面板に取り付けられた被固定部に固定されている。
【発明の効果】
【０００７】
本発明によれば、化粧板は、化粧板の裏面に取り付けられた取付金具を備え、取付金具が前フレームの前面板に取り付けられた被固定部に固定されている。この構成により、化粧板を容易に取り付けることができ、意匠性の向上を図ることができる。
【図面の簡単な説明】
【０００８】
【図１】本発明の実施の形態に係る加熱調理器の分解斜視図である。
【図２】図１に示す本体ケースの拡大斜視図である。
【図３】図１に示す加熱調理器を備えたキッチン台の斜視図である。
【図４】図１に示す前フレームの拡大斜視図である。
【図５】図４の前フレームに位置調整金具および発泡部材を取り付けた状態を示す斜視図である。
【図６】図５に示す位置調整金具の拡大斜視図である。
【図７】図１に示す化粧板の裏側の拡大斜視図である。
【図８】図５に示す前フレームの前面板に化粧板を取り付けた状態の斜視図である。
【図９】図８に示すＡ−Ａ方向から見た前フレームと化粧板の断面斜視図である。
【図１０】図８のＢ部を拡大して示す断面斜視図である。
【図１１】図８の前フレームにおいて緩衝部材を取り付けた状態を示す斜視図である。
【図１２】図１１の前フレームにおいてサイドカバーを取り付けた状態を示す斜視図である。
【図１３】図１２に示すサイドカバーの緩衝部材と補強板とを裏側から見た分解斜視図である。
【図１４】図１３に示す緩衝部材に補強板を組み付けて構成されるサイドカバーの斜視図である。
【図１５】図１４のサイドカバーの取り付け例を示す斜視図である。
【発明を実施するための形態】
【０００９】
図１は本発明の実施の形態に係る加熱調理器の分解斜視図、図２は図１に示す本体ケースの拡大斜視図である。
図１および図２において、本実施の形態に係る加熱調理器１００は、本体ケース１と、収納庫４と、冷却ファンユニット５と、電源基板ユニット６と、天板８と、天板８に載置された被加熱物を加熱する加熱手段である例えば誘導加熱コイル７とを備えている。
【００１０】
本体ケース１は、図２に示すように、上部に第１開口部２および前部に手前側に突出する左右方向に長い第２開口部３を有する箱形状に形成されている。本体ケース１には、縦仕切板１ａによって第１収納室１ｂと第２収納室１ｃとが設けられている。本体ケース１の背板１ｄの第２収納室１ｃ側には、複数の穴によって形成された吸気口１ｅが設けられている。
【００１１】
収納庫４は、図１に示すように、第２開口部３側に開口を有する箱形状に形成され、本体ケース１の第１収納室１ｂに収納されている。また、収納庫４は、第１収納室１ｂの上部に設けられた横仕切板１ｆによって覆われている。この収納庫４は、例えば、しゃもじ、へら、おろし金等の調理小物が収納される。なお、本実施の形態では、本体ケース１の第１収納室１ｂに収納庫４を設けたが、これに代えて、内部にヒーターを備えた加熱庫でも良い。冷却ファンユニット５と電源基板ユニット６は、第２収納室１ｃに収納されている（図１参照）。冷却ファンユニット５は、空気を吸気口１ｅから吸引し、電源基板ユニット６を介して誘導加熱コイル７に送り込み、電源基板ユニット６と誘導加熱コイル７とを冷却する。
【００１２】
天板８は、本体ケース１の第１開口部２を覆っている。この天板８は、例えば、四辺形に形成された結晶化ガラス９ａと、結晶化ガラス９ａの外周部にシリコン系接着剤等で固着された上フレーム９ｂとで構成されている。上フレーム９ｂは、例えばステンレスにより額縁状に形成され、本体ケース１の上部に設けられたフランジ部１ｇに固定されている。
【００１３】
上フレーム９ｂの手前側の位置には、誘導加熱コイル７に対応して複数のキースイッチが配置された操作パネル１０が設置されている。また、上フレーム９ｂの奥側の位置には、排気口カバー１１で覆われた排気口が設けられている。この排気口は、電源基板ユニット６と誘導加熱コイル７とを冷却した空気を外部に排出する。
【００１４】
誘導加熱コイル７は、横仕切板１ｆと天板８との間に配置され、天板８に載置された鍋等の被加熱物を誘導加熱する。なお、本実施の形態では、誘導加熱コイル７を２つとしているが、例えば、３つあるいは４つの誘導加熱コイル７を備えた加熱調理器でも良い。また、例えば、３つの誘導加熱コイル７のうち、１つをラジエントヒーターのような電熱線からなる輻射式加熱手段とし、残りの２つを誘導加熱コイル７としても良い。
【００１５】
本体ケース１の前部には、図１に示すように、第２開口部３を覆う前フレーム２０が取り付けられている。前フレーム２０は、正面の外形が本体ケース１の第２開口部３とほぼ同じ形状で、本体ケース１内に設けられた第１収納室１ｂ（収納室）と対向する面に、第２開口部３よりも小さい第３開口部２１を有している。また、前フレーム２０は、上下および左右の縁に第２開口部３側に折り曲げられた板形状の側板２０ａを有している。前フレーム２０の各側板２０ａは、本体ケース１の第２開口部３の外周部に取り付けられている。
【００１６】
前フレーム２０の第３開口部２１を除く部分の前面板２２には、化粧板１５によって覆われている。第３開口部２１は、収納庫４の開口部とほぼ同じ大きさで、引出部１３を有する扉１２によって開閉される。つまり、第３開口部２１は、収納庫４の開口部として使用される。引出部１３は、上面が開口された箱形状に形成され、収納庫４の左右の側板に設けられた摺動部１４によって前後に移動自在に収納庫４に収納される。
【００１７】
前記のように構成された加熱調理器１００は、図３に示すように、前フレーム２０がキッチン台２００の前面開口部から臨むように、本体ケース１がキッチン台２００の上面開口部から収容された組込式の加熱調理器である。この場合、天板８は、キッチン台２００の上面開口部よりも大きく形成されているため、天板８がキッチン台２００の上面開口部の縁に引っ掛かっており、本体ケース１をぶら下げた状態にしている。
【００１８】
また、キッチン台２００の前面開口部の左右方向の幅は、本体ケース１の前フレーム２０の左右方向の幅よりも長く形成されているため、前フレーム２０の両側には、それぞれ隙間が形成される。この両側の隙間は、図３に示すように、前フレーム２０に取り付けられた化粧板１５とサイドカバー３７とによって覆われている。また、図３には示していないが、前フレーム２０の第３開口部２１と化粧板１５との間に緩衝部材が取り付けられている。サイドカバー３７と緩衝部材は、扉１２が閉じられているときには扉１２によって覆われ、扉１２を手前に引いて第３開口部２１を開けたときに露出する。
【００１９】
前述の扉１２と化粧板１５は、キッチン台２００の正面に設けられた複数の引出用扉２０１と同一面で、引出用扉２０１と同じ色、同じ材料により形成されている。これにより、キッチン台２００の正面は、意匠の統一が図られている。キッチン台２００には、調理物の下ごしらえ等を行える平坦な調理スペース２０２、水あるいはお湯を供給する水栓器具２０３および洗い物等を行うシンク２０４が設けられている。
【００２０】
ここで、前フレーム２０の構造、および前フレーム２０に取り付ける取付金具について、図４〜図１０を用いて説明をする。
図４は図１に示す前フレームの拡大斜視図、図５は図４の前フレームに位置調整金具および発泡部材を取り付けた状態を示す斜視図、図６は図５に示す位置調整金具の拡大斜視図、図７は図１に示す化粧板の裏側の拡大斜視図、図８は図５に示す前フレームの前面板に化粧板を取り付けた状態の斜視図、図９は図８に示すＡ−Ａ方向から見た前フレームと化粧板の断面斜視図、図１０は図８のＢ部を拡大して示す断面斜視図である。
【００２１】
本実施の形態の加熱調理器１００においては、加熱調理器１００の据え付け場所にて、予め用意された取付金具を化粧板１５の裏面に固定し、取付金具に対応して前フレーム２０の前面板２２に取り付けられた被固定部に、取付金具を被固定部に固定して前面板２２に化粧板１５を取り付けるようにしている。
【００２２】
前フレーム２０は、図４に示すように、前述した第３開口部２１と前面板２２とを有している。この前面板２２には、第３開口部２１側の上下の例えば２箇所に設けられたネジ穴２５と、第３開口部２１の反対側の位置に設けられた左右方向に長い長穴２４と、下部の左右方向の位置に例えば２箇所に設けられた取付穴群２３とが設けられている。前述のネジ穴２５、長穴２４および取付穴群２３は、本発明における被固定部に相当する。また、前面板２２には、第３開口部２１とネジ穴２５との間の位置に上下に配置された例えば２つの丸孔２６が設けられている。ネジ穴２５は、例えば前面板２２のバーリング加工による筒状の穴にねじ山を切り込んで形成されたものである。
【００２３】
前フレーム２０の第３開口部２１の左側に上下の２箇所に取付穴２０ｃが設けられている、また、前フレーム２０の第３開口部２１側の側板２０ａには、図８に示すように、サイドカバー３７を支持する切り起こし部２０ｂが設けられている。この切り起こし部２０ｂは、側板２０ａを奥行き方向に切り起こして形成され、補強板３９の切り起こし片３９ａに対応する位置に設けられている。なお、サイドカバー３７および補強板３９については後述する。
【００２４】
ネジ穴２５は、左側取付金具３２を前面板２２に固定するためのネジ穴であり、長穴２４は、右側取付金具３４の鉤部３４ｂが挿入される長穴である。また、丸孔２６は、後述する緩衝部材の突起部が挿入される穴である。
【００２５】
取付穴群２３は、それぞれ左右方向に並んで設けられた上下方向に長い一対の長穴２３ａと、この一対の長穴２３ａの間に設けられたネジ穴２３ｂとで構成されている。このネジ穴２３ｂは、前述したネジ穴２５と同様に、前面板２２のバーリング加工による筒状の穴にねじ山を切り込んで形成されたものである。取付穴群２３は、図５に示すように、位置調整金具３０を前面板２２の下部の左右方向の２箇所に取り付けるための穴群である。  
【００２６】
前述の前面板２２には、図５に示すように、長穴２４を中央にして上下にそれぞれ発泡部材３１が設けられている。この発泡部材３１は、後述するが、前面板２２に取り付けられた化粧板１５を前方に押し出すために設けられている。つまり、化粧板１５を前方に押し出すことにより、長穴２４に挿入された右側取付金具３４の鉤部３４ｂ（図７参照）を長穴２４の縁に押さえ付け、右側取付金具３４の前後左右のガタ付を抑制している。なお、発砲部材３１は、弾性を有する部材であればよく、例えば、発砲部材３１の代わりにゴムにより構成された部材を用いてもよい。
【００２７】
位置調整金具３０は、図６に示すように、一方向に折り曲げて形成された載置板３０ｄを有する略Ｌ字形状の板状金具で、上端部３０ａの中央に設けられた上下方向に長い長穴３０ｂと、上端部３０ａの両側から互いに対向するように載置板３０ｄとは反対方向に突出する一対の鉤部３０ｃとを有している。
【００２８】
この位置調整金具３０を取付穴群２３に取り付ける場合、図５に示すように、位置調整金具３０の鉤部３０ｃを取付穴群２３の長穴２３ａにそれぞれ挿入し、位置調整金具３０の長穴３０ｂからネジを差し込んで取付穴群２３のネジ穴２３ｂにネジ込んで、位置調整金具３０を前面板２２に取り付ける。
【００２９】
左側取付金具３２は、図７に示すように、長手方向に直交する短手方向に折り曲げられて段差が形成された略Ｚ字形状の板状金具で、段差の高い板に短手方向に長い長穴３２ａを有し、更に段差の低い板に短手方向に２つの穴３２ｂを有している。この左側取付金具３２は、化粧板１５を正面から見て、化粧板１５の左側裏面の上下にそれぞれ固定される。つまり、化粧板１５の左側裏面の上下にスペーサー３３を貼り付け、そのスペーサー３３の上に左側取付金具３２を固定する。左側取付金具３２の固定は、２つの穴３２ｂからスペーサー３３の穴３３ａにネジを挿入して化粧板１５の裏面にネジ込んで固定する。この固定により、化粧板１５の左側から長穴３２ａが露出した状態になっている。
【００３０】
右側取付金具３４は、図７に示すように、長手方向の一端から一方向に折り曲げられて形成された鉤部３４ｂを有する略Ｌ字形状の板状金具で、鉤部３４ｂを除くもう一方の板に長手方向に２つの穴３４ａが設けられている。この右側取付金具３４は、化粧板１５を正面から見て、化粧板１５の右側裏面に固定される。つまり、化粧板１５の右側裏面にスペーサー３５を貼り付け、そのスペーサー３５の上に右側取付金具３４を固定する。右側取付金具３４の固定は、２つの穴３４ａからスペーサー３５の穴３５ａにネジを挿入して化粧板１５の裏面にネジ込んで固定する。
【００３１】
前述したスペーサー３３、３５は、収納庫４の扉１２と化粧板１５が同一面になるように、化粧板１５の厚みに応じて設けられたものである。つまり、化粧板１５の厚みに応じて、厚みの異なるスペーサー３３、３５が用意されており、化粧板１５の厚みに応じてスペーサー３３、３５を選別して、化粧板１５の裏面に貼り付ける。
【００３２】
左側取付金具３２と右側取付金具３４とが固定された化粧板１５を、前面板２２に取り付ける場合、先ず、右側取付金具３４の鉤部３４ｂを前面板２２の長穴２４に差し込むと共に、化粧板１５の下端を位置調整金具３０の載置板３０ｄに載せて（図９および図１０参照）、化粧板１５を右側に移動させる。この時、キッチン台２００の前面開口部と前フレーム２０の前面板２２側との間の隙間が化粧板１５によって覆われる。
【００３３】
右側取付金具３４の鉤部３４ｂを前面板２２の長穴２４に差し込んだ際に、化粧板１５の下端と位置調整金具３０の載置板３０ｄとの間に隙間がある場合には、前面板２２の長穴２４に差し込んだ右側取付金具３４の鉤部３４ｂを引き抜くように化粧板１５を外す。そして、位置調整金具３０の長穴３０ｂからネジ込んだネジを緩め、位置調整金具３０を隙間に応じて下方への移動を調節し、再びネジをネジ込んで位置調整金具３０を前面板２２に固定する。なお、右側取付金具３４の鉤部３４ｂを前面板２２の長穴２４に差し込んだ際に、化粧板１５の下端が位置調整金具３０の載置板３０ｄに乗らない場合も、前記のようにネジを緩めて位置調整金具３０の位置を調節する。
【００３４】
次に、図８に示すように、化粧板１５の左側から露出した長穴３２ａからネジを挿入して、前面板２２に設けられたネジ穴２５にネジ込んで化粧板１５を前面板２２に固定する。化粧板１５を前面板２２に固定した際に、化粧板１５が右側取付金具３４の鉤部３４ｂを支点として、上方あるいは下方に斜めになっていた場合には、ネジ穴２５にネジ込んだネジを緩める。そして、化粧板１５を左側取付金具３２の長穴３２ａの範囲内で上下動させて、前フレーム２０に対し水平になるように調節し、再びネジをネジ込んで化粧板１５を固定する。
【００３５】
次に、前述した緩衝部材とサイドカバーの構造および取り付けについて、図１１〜図１５を用いて説明する。
図１１は図８の前フレームにおいて緩衝部材を取り付けた状態を示す斜視図、図１２は図１１の前フレームにおいてサイドカバーを取り付けた状態を示す斜視図、図１３は図１２に示すサイドカバーの緩衝部材と補強板とを裏側から見た分解斜視図、図１４は図１３に示す緩衝部材に補強板を組み付けて構成されるサイドカバーの斜視図、図１５は図１４のサイドカバーの取り付け例を示す斜視図である。
【００３６】
緩衝部材３６は、図１１に示すように、前面板２２のうち第３開口部２１と前面板２２に取り付けられた化粧板１５との間の部分に設けられている。緩衝部材３６は、例えば耐熱性を有するゴム材により形成され、前面板２２に対向する裏面には、前面板２２に設けられた丸孔２６に挿入される突起部（図示せず）が設けられている。この緩衝部材３６は、上下の３箇所に設けられた穴３６ａからネジを挿入して、前面板２２に設けられたネジ穴２７にネジ込むことで固定される。
【００３７】
サイドカバー３７は、図１２に示すように、前フレーム２０の左右の側板２０ａのうち第３開口部２１側の側板２０ａに支持され、その側板２０ａとキッチン台２００の前面開口部の側面との間の隙間を覆う構成になっている。
【００３８】
サイドカバー３７は、図１３に示すように、緩衝部材３８と、緩衝部材３８の裏面に取り付けられた補強板３９とで構成されている。緩衝部材３８は、前述した緩衝部材３６と同様に、耐熱性を有するゴム材により形成されている。緩衝部材３８には、緩衝部材３８を裏面側から見て、左側に上下の２箇所に突起部３８ａが設けられている。また、緩衝部材３８の右側の縁および上下の一部の縁には、緩衝部材３８とで内側が開放された支持体３８ｂが設けられている。補強板３９は、突起部３８ａが挿入される穴３９ｂを有し、更に、穴３９ｂ側に補強板３９を切り起こして形成された切り起こし片３９ａが設けられている。
【００３９】
緩衝部材３８の支持体３８ｂ内に補強板３９の片側を挿入すると共に、補強板３９の穴３９ｂに緩衝部材３８の突起部３８ａを挿入することにより、補強板３９は、穴３９ｂを貫通した緩衝部材３８の突起部３８ａと支持体３８ｂとにより緩衝部材３８に固定される。つまり、図１４に示すようなサイドカバー３７が構成される。
【００４０】
サイドカバー３７を前フレーム２０の第３開口部２１側の側板２０ａに取り付ける場合、先ず、補強板３９の穴３９ｂを貫通した緩衝部材３８の突起部３８ａを前フレーム２０の取付穴２０ｃに嵌め込む。この時、補強板３９の切り起こし片３９ａを前フレーム２０の切り起こし部２０ｂに差し込んで、サイドカバー３７を前フレーム２０に固定する（図１５参照）。
【００４１】
以上のように本実施の形態においては、以下に示す効果が得られている。
（１）予め用意された位置調整金具３０と左側取付金具３２と右側取付金具３４とを化粧板１５の裏面に固定し、これらの位置調整金具３０、左側取付金具３２および右側取付金具３４に対応して前フレーム２０の前面板２２に設けられた被固定部に、位置調整金具３０、左側取付金具３２および右側取付金具３４を被固定部に固定して前面板２２に化粧板１５を取り付けるようにしている。この構成により、化粧板を容易に取り付けることができ、意匠性の向上を図ることができる。
【００４２】
（２）前面板２２に位置調整金具３０の被固定部である一対の長穴２３ａを設け、位置調整金具３０に長穴３０ｂを設けているので、ネジを緩めることで位置調整金具３０を上下動させることができ、化粧板１５の上下方向の設置を容易に調整できる。
（３）左側取付金具３２に長穴３２ａを設けているので、化粧板１５の傾き、化粧板１５の上下のズレを調節できる。
（４）前面板２２に長穴２４を中央にして上下にそれぞれ発泡部材３１を設けているので、化粧板１５を前方に押し出すことができる。このため、長穴２４に挿入された右側取付金具３４の鉤部３４ｂを長穴２４の縁に押さえ付けることができ、右側取付金具３４の前後左右のガタ付を抑制することができる。
（５）前フレーム２０の第３開口部２１の両側に緩衝部材３６および緩衝部材３８を備えたサイドカバー３７を設けているので、扉１２を開いたときに使用者からネジ、隙間などが見えるようなことがなくなり、意匠性を向上させることができる。また、扉１２を閉めたときに発生する音を抑制することができる。
【符号の説明】
【００４３】
１  本体ケース、１ａ  縦仕切板、１ｂ  第１収納室、１ｃ  第２収納室、１ｄ  背板、１ｅ  吸気口、１ｆ  横仕切板、１ｇ  フランジ部、２  第１開口部、３  第２開口部、４  収納庫、５  冷却ファンユニット、６  電源基板ユニット、７  誘導加熱コイル、８  天板、９ａ  結晶化ガラス、９ｂ  上フレーム、１０  操作パネル、１１  排気口カバー、１２  扉、１３  引出部、１４  摺動部、１５  化粧板、２０  前フレーム、２０ａ  側板、２０ｂ  切り起こし部、２０ｃ  取付穴、２１  第３開口部、２２  前面板、２３  取付穴群、２３ａ  長穴、２３ｂ  ネジ穴、２４  長穴、２５  ネジ穴、２６  丸孔、２７  ネジ穴、３０  位置調整金具、３０ａ  上端部、３０ｂ  長穴、３０ｃ  鉤部、３０ｄ  載置板、３１  発泡部材、３２  左側取付金具、３２ａ  長穴、３２ｂ  穴、３３  スペーサー、３３ａ  穴、３４  右側取付金具、３４ａ  穴、３４ｂ  鉤部、３５  スペーサー、３５ａ  穴、３６  緩衝部材、３６ａ  穴、３７  サイドカバー、３８  緩衝部材、３８ａ  突起部、３８ｂ  支持体、３９  補強板、３９ａ  切り起こし片、３９ｂ  穴、１００  加熱調理器、２００  キッチン台、２０１  引出用扉、２０２  調理スペース、２０３  水栓器具、２０４  シンク。
【図１】
2018173202.tif 000003
【図２】
2018173202.tif 000004
【図３】
2018173202.tif 000005
【図４】
2018173202.tif 000006
【図５】
2018173202.tif 000007
【図６】
2018173202.tif 000008
【図７】
2018173202.tif 000009
【図８】
2018173202.tif 000010
【図９】
2018173202.tif 000011
【図１０】
2018173202.tif 000012
【図１１】
2018173202.tif 000013
【図１２】
2018173202.tif 000014
【図１３】
2018173202.tif 000015
【図１４】
2018173202.tif 000016
【図１５】
2018173202.tif 000017